(57)【特許請求の範囲】
【請求項１】
所定の波長の光をセルに照射する光学系と、セルからの光を検出する検出手段と、検出手段による検出信号に基づく情報を処理する演算部とを備えた分光光度計において、
セルの種類を検出し、その検出結果に基づいてセル情報を送るセル認識センサと、
前記セル認識センサによるセル情報に基づいてセルの有無及びセルの種類を判別するセル種類判別部と、
バリデーション動作を行なう際の動作プログラムが記憶されたルーチンプログラム格納部と、
前記セル種類判別部がバリデーション用セルを検出したときの前記セル種類判別部からのセル情報に対応した前記ルーチンプログラム格納部の動作プログラムを読み出し、前記光学系、前記検出手段及び前記演算部の動作を制御して対応するバリデーション動作を行なうバリデーション動作制御部と、を備えたことを特徴とする分光光度計。
【発明の詳細な説明】
【０００１】
【発明の属する技術分野】
本発明は、セル内の試料に光を照射して試料成分を検出する分光光度計に関するものである。分光光度計は単独でも、又は液体クロマトグラフなどの検出器としても用いられる。
【０００２】
【従来の技術】
分光光度計を適用した液体クロマトグラフの検出器では、カラムで分離された試料が溶媒とともにセルを通過する際に、そのセルに光を当ててその光の吸光度や屈折率などを測定することにより、試料成分の濃度を定量化する。
セルには、標準セル、内径の細いミクロセル、高い圧力に耐えられる高耐圧セル、光路長の短い分取セルなど複数種が存在し、測定の際には目的や分析条件に合わせてセルを選択し交換して使用している。
【０００３】
【発明が解決しようとする課題】
分析を行なう前に、ドリフト・ノイズ測定や波長校正、測光正確さ測定などの分光光度計の検査（バリデーションという）を行なう場合がある。その際、ユーザがメニューを選んでソフトやハードウエアの設定を行なわなければならず、その都度設定を行なうのは煩雑であった。
【０００４】
そこで本発明は、バリデーション用セルを装着することにより、そのバリデーション用セルの種類に対応したバリデーションを自動で開始する分光光度計を提供することを目的とするものである。
【０００５】
【課題を解決するための手段】
図１は、本発明を表すブロック図である。
本発明は、所定の波長の光をセルに照射する光学系１と、セルからの光を検出する検出手段３と、検出手段３による検出信号に基づく情報を処理する演算部５とを備えた分光光度計であって、セルの種類を検出し、その検出結果に基づいてセル情報を送るセル認識センサ７と、セル認識センサ７によるセル情報に基づいてセルの有無及びセルの種類を判別するセル種類判別部９と、バリデーション動作を行なう際の動作プログラムが記憶されたルーチンプログラム格納部１１と、セル種類判別部９がバリデーション用セルを検出したときのセル種類判別部９からのセル情報に対応したルーチンプログラム格納部１１の動作プログラムを読み出し、光学系１、検出手段３及び演算部５の動作を制御して対応するバリデーション動作を行なうバリデーション動作制御部１３と、を備えたものである。
【０００６】
セル種類判別部９は、セル認識センサ７からのセル情報を読み取り、セルの種類を判別する。そのセルの種類がバリデーション用セルである場合、そのセル情報をバリデーション動作制御部１３に送る。バリデーション動作制御部１３は、そのセル情報に基づいて、ルーチンプログラム格納部１１からそのセル情報に対応した動作プログラムを読み出し、光学系１、検出手段３及び演算部５を制御してバリデーション動作を行なう。
【０００７】
【実施例】
図２は、本発明を液体クロマトグラフの検出器に適用した一実施例を表す概略構成図である。その検出器は紫外可視分光光度計である。
光源ランプを備えた光学系１からの光は光ビームとしてセル１７に送られる。セル１７はフローセルであり、セル内の流路の入口は液体クロマトグラフの分離カラムに、出口はドレインに接続されている。
セル１７からの透過光はフォトセンサ（検出手段）３により検出される。フォトセンサ３からの検出信号は、その検出信号を処理するＣＰＵ１５に送られる。
【０００８】
セル１７の装着位置には、セルの装着有無及びセルの種類を判別する接触式のマイクロセンサアレイ（セル認識センサ）７が備えられている。マイクロセンサアレイ７には４つの押しボタン式のスイッチ２１が備えられており、通常はＯＦＦの状態になっており、ボタンを押すとＯＮの状態になる。それぞれのスイッチ２１はＣＰＵ１５に接続されている。
【０００９】
セル１７のマイクロセンサアレイ７に接する面には、スイッチ２１に対応した位置に切欠き２３が形成されている。セル１７を装着した際、切欠き２３が形成されていると、切欠き２３に対応する位置のスイッチ２１はＯＦＦのままである。切欠き２３を形成する個数と位置をセルの種類別にそれぞれ変えることにより、４つのスイッチ２１がすべてＯＦＦの場合はセルが装着されていないとすると、１５通りのセルの種類が判別可能となる。
ＣＰＵ１５は光学系１の動作も制御する。ＣＰＵ１５には、記憶部（ルーチンプログラム格納部１１を含む）１１ａ及び表示部１９が接続されている。
本発明のセル種類判別部９、バリデーション動作制御部１３及び演算部５はＣＰＵ１５により実現される。
【００１０】
図３は、この実施例のセル判別動作を表すフローチャートである。図１、図２及び図３を用いて動作を説明する。
セル１７をセル装着位置に装着すると、マイクロセンサアレイ７からセル情報がＣＰＵ１５のセル種類判別部９に送られてセルの種類が判別される。セル１７が装着されていない場合は警告が表示される。
【００１１】
セル種類判別部９が判別したセルがバリデーション用セルの場合は、セル種類判別部９からバリデーション動作制御部１３にセル情報が送られる。バリデーション動作制御部１３は、そのセル情報に基づいて、記憶部１１ａのルーチンプログラム格納部１１からドリフト・ノイズ測定、波長校正又は測光正確さ測定の動作プログラムを読み出し、光学系１、検出手段３及び演算部５を制御してバリデーション動作を行なう。
バリデーション終了後、バリデーション用セルを分析用セルに置き換えるメッセージを表示部１９に表示する。セルの交換がされない時は警告を出す。
【００１２】
セル種類判別部９が判別したセルが分析用セルであり、さらに標準セル、セミミクロセル、分取セルなどのフローセルの場合は、そのセルの光路長などに関する情報を分析レポートとともに記録部（図示略）に記録する。
また、セル種類判別部９が判別したセルがキュベットセルの場合は、記憶部１１ａに記憶された分光光度計として使うためのプログラムを立ち上げる。
分析用セルの判別終了後、各種セルに対応した分析を開始する。
【００１３】
この実施例では、バリデーションをセルの装着とともに自動で開始できる他、測光正確さ測定用セルで直線性を検査するバリデーションを行なう際、４〜５個の異なる濃度の標準液が収容されたセルを順々に装着することになるが、セルに形成する切欠きの位置を変えてセルを判別させることにより、従来のような、装着順序の誤りに基づくミスを防止することができる。
【００１４】
この実施例では、セル認識センサの判別手段として機械的接触式スイッチを用いているが、本発明はこれに限定されるものではなく、反射型又は透過型のフォトインタラプタや、ホール素子など、他の判別手段を使用して装着センサを構成してもよい。
また、分取セルや高耐圧セルを用いるとポンプ流量を大きくするなど、セルの種類によりポンプ流量などの分析パラメータも変更する場合があるので、必要な場合は本発明により判別したセルの種類により分析パラメータの変更も行なうようにすることが好ましい。
この実施例では本発明を液体クロマトグラフの紫外可視分光光度計に適用しているが、本発明はこれに限定されるものではなく、蛍光検出器など、分光光度計全般に適用することができる。
【００１５】
【発明の効果】
本発明は、セルの種類により異なったセル情報を送るセル認識センサと、セル認識センサによるセル情報に基づいてセルの有無及びセルの種類を判別するセル種類判別部と、ドリフト・ノイズ測定、波長校正又は測光正確さ測定を行なう際の動作プログラムが記憶されたルーチンプログラム格納部と、セル種類判別部からのセル情報に対応したルーチンプログラム格納部の動作プログラムを読み出し、光学系、検出手段及び演算部の動作を制御してドリフト・ノイズ測定、波長校正又は測光正確さ測定を行なうバリデーション動作制御部と、を備えたので、装着されたセルががバリデーション用セルである場合、バリデーション動作制御部により、ルーチンプログラム格納部から、装着されたセルに対応したバリデーション動作プログラムを読み出し、光学系、検出手段及び演算部を制御してバリデーション動作を自動で行なうことができる。
【図面の簡単な説明】
【図１】  本発明を表すブロック図である。
【図２】  一実施例を表す概略構成図である。
【図３】  同実施例のセル判別動作を表すフローチャートである。
【符号の説明】
１      光学系
３      検出手段
５      演算部
７      セル認識センサ
９      セル種類判別部
１１      ルーチンプログラム格納部
１３      バリデーション動作制御部
【図１】
0003753873.tif 000002
【図２】
0003753873.tif 000003
【図３】
0003753873.tif 000004